(57)【要約】【課題】位置情報の監視に加え、緊急事態を推測可能な状態監視を可能とし、児童の安全・安心に貢献しうる児童通学監視システムを提供する。【解決手段】児童通学監視システムは、児童が履く靴に装着されるＩＣタグ及び靴圧力センサを用いた情報発信装置１０と、無線アドホックネットワーク２０を形成する自宅側読取ゲート２１、学校側読取ゲート２２、通学路に設置される複数の読取装置２３と、無線アドホックネットワークに接続されるセンターサーバ４０とを有する。センターサーバ４０は、児童の登下校時に、各読取装置２３の読み取り情報から、読取装置２３の設置場所に対応する児童の位置情報と、靴圧力に応じた児童の状態情報と、読取装置２２により同時に読み取られた情報に基づく友達情報とを解析し、解析結果を利用者端末６０に情報提供し、その解析結果に応じて利用者端末６０に警告信号を送信する。【選択図】図１
2007264723.tif 000002
【特許請求の範囲】
【請求項１】
児童が履く靴の所定部分に装着され、前記児童を特定する児童識別情報をタグ情報として出力可能に保持するＩＣタグと、前記児童の状態に応じて前記靴に生じる圧力を感知しその靴圧力をセンサ情報として出力する靴圧力センサとを有する情報発信装置と、
前記児童の自宅側の所定位置に設置され、所定の範囲内にある前記情報発信装置から情報を読み取る自宅側読取ゲートと、
前記児童が通う学校側の所定位置に設置され、所定の範囲内にある前記情報発信装置から情報を読み取る学校側読取ゲートと、
前記自宅側読取ゲート及び前記学校側読取ゲート間の通学路に設置され、所定の範囲内にある前記情報発信装置から情報を読み取る複数の読取装置と、
前記自宅側読取ゲート、前記学校側読取ゲート、及び前記複数の読取装置をネットワークの無線ノードとして形成される無線アドホックネットワークと、
前記無線アドホックネットワークを介して前記自宅側読取ゲート、前記学校側読取ゲート、及び前記複数の読取装置に通信可能に接続される情報処理装置とを有し、
前記情報処理装置は、
前記自宅側読取ゲート及び前記学校側読取ゲートの一方により読み取られた前記情報発信装置の情報を前記無線アドホックネットワーク経由で受信してから、前記自宅側読取ゲート及び前記学校側読取ゲートの他方により読み取られた前記情報発信装置の情報を前記無線アドホックネットワーク経由で受信するまでの期間を監視する監視手段と、
前記監視手段により監視される期間内に、前記複数の読取装置により読み取られる前記情報発信装置の情報及びその情報を読み取った読取装置の設置場所の情報から、前記情報発信装置の情報を読み取った読取装置の設置場所に基づく前記児童の位置情報と、前記センサ情報の靴圧力に基づく前記児童の状態情報と、前記読取装置により同時に読み取られた他の情報発信装置の情報に含まれるタグ情報に基づく前記児童の友達情報とを解析する情報解析手段と、
前記情報解析手段による解析結果を利用者端末に通信回線経由で情報提供する情報提供手段と、
前記解析結果に応じて前記利用者端末に警告信号を送信する警告送信手段とを有することを特徴とする児童通学監視システム。
【請求項２】
前記警告送信手段は、
前記複数の読取装置により前記情報発信装置の情報が所定時間読み取られない場合に前記利用者端末に警告信号を送信する第１の警告送信手段と、
前記複数の読取装置により読み取られた前記情報発信装置の情報に含まれるセンサ情報から、所定時間靴圧力が検知されない場合に前記利用者端末に警告信号を送信する第２の警告送信手段とを有することを特徴とする請求項１記載の児童通学監視システム。
【請求項３】
前記情報解析手段は、
前記児童識別情報と前記利用者端末の宛先情報を含む児童情報とを関連付けて予め登録する児童情報登録手段と、
前記複数の読取装置の設置場所の情報を予め登録する設置場所登録手段とを有し、
前記情報提供手段は、前記宛先情報に基づいて前記情報解析手段による解析結果を通信回線経由で情報提供し、
前記警告送信手段は、前記宛先情報に基づいて前記利用者端末に前記警告信号を送信することを特徴とする請求項１又は２記載の児童通学監視システム。
【請求項４】
前記情報提供手段は、
前記児童の登校時に、前記自宅側読取ゲートにより読み取られた前記情報発信装置の情報を受信したときに前記宛先情報に基づいて前記利用者端末に前記児童が自宅を出た旨を通知すると共に、前記学校側読取ゲートにより読み取られた前記情報発信装置の情報を受信したときに前記宛先情報に基づいて前記利用者端末に前記児童が学校に到着した旨を通知する児童登校通知手段と、
前記児童の下校時に、前記学校側読取ゲートにより読み取られた前記情報発信装置の情報を受信したときに前記宛先情報に基づいて前記利用者端末に前記児童が学校を出た旨を通知すると共に、前記自宅側読取ゲートにより読み取られた前記情報発信装置の情報を受信したときに前記宛先情報に基づいて前記利用者端末に前記児童が自宅に到着した旨を通知する児童下校通知手段とを有することを特徴とする請求項３記載の児童通学監視システム。
【請求項５】
前記情報発信装置は、前記自宅側読取ゲート、前記学校側読取ゲート、及び前記複数の読取装置からの磁界又は電波を受けたときに電力を発生して起動することを特徴とする請求項１乃至４のいずれか１項に記載の児童通学監視システム。
【請求項６】
児童が履く靴の所定部分に装着され、前記児童を特定する児童識別情報をタグ情報として出力可能に保持するＩＣタグと、前記児童の状態に応じて前記靴に生じる圧力を感知しその靴圧力をセンサ情報として出力する靴圧力センサとを有する情報発信装置と、
前記児童の自宅側の所定位置に設置され、所定の範囲内にある前記情報発信装置から情報を読み取る自宅側読取ゲートと、
前記児童が通う学校側の所定位置に設置され、所定の範囲内にある前記情報発信装置から情報を読み取る学校側読取ゲートと、
前記自宅側読取ゲート及び前記学校側読取ゲート間の通学路に設置され、所定の範囲内にある前記情報発信装置から情報を読み取る複数の読取装置と、
前記自宅側読取ゲート、前記学校側読取ゲート、及び前記複数の読取装置をネットワークの無線ノードとして形成される無線アドホックネットワークとを有する児童通学監視システムで用いられ、
前記無線アドホックネットワークを介して前記自宅側読取ゲート、前記学校側読取ゲート、及び前記複数の読取装置に通信可能に接続される情報処理装置であって、
前記自宅側読取ゲート及び前記学校側読取ゲートの一方により読み取られた前記情報発信装置の情報を前記無線アドホックネットワーク経由で受信してから、前記自宅側読取ゲート及び前記学校側読取ゲートの他方により読み取られた前記情報発信装置の情報を前記無線アドホックネットワーク経由で受信するまでの期間を監視する監視手段と、
前記監視手段により監視される期間内に、前記複数の読取装置により読み取られる前記情報発信装置の情報及びその情報を読み取った読取装置の設置場所の情報から、前記情報発信装置の情報を読み取った読取装置の設置場所に基づく前記児童の位置情報と、前記センサ情報の靴圧力に基づく前記児童の状態情報と、前記読取装置により同時に読み取られた他の情報発信装置の情報に含まれるタグ情報に基づく前記児童の友達情報とを解析する情報解析手段と、
前記情報解析手段による解析結果を利用者端末に通信回線経由で情報提供する情報提供手段と、
前記情報解析手段による解析結果に応じて前記利用者端末に警告信号を送信する警告送信手段とを有することを特徴とする情報処理装置。
【請求項７】
前記警告送信手段は、
前記複数の読取装置により前記情報発信装置の情報が所定時間読み取られない場合に前記利用者端末に警告信号を送信する第１の警告送信手段と、
前記複数の読取装置により読み取られた前記情報発信装置の情報に含まれるセンサ情報から、所定時間靴圧力が検知されない場合に前記利用者端末に警告信号を送信する第２の警告送信手段とを有することを特徴とする請求項６記載の情報処理装置。
【請求項８】
前記情報解析手段は、
前記児童識別情報と前記利用者端末の宛先情報を含む児童情報とを関連付けて予め登録する児童情報登録手段と、
前記複数の読取装置の設置場所の情報を予め登録する設置場所登録手段とを有し、
前記情報提供手段は、前記宛先情報に基づいて前記情報解析手段による解析結果を通信回線経由で情報提供し、
前記警告送信手段は、前記宛先情報に基づいて前記利用者端末に前記警告信号を送信することを特徴とする請求項６又は７記載の情報処理装置。
【請求項９】
前記情報提供手段は、
前記児童の登校時に、前記自宅側読取ゲートにより読み取られた前記情報発信装置の情報を受信したときに前記宛先情報に基づいて前記利用者端末に前記児童が自宅を出た旨を通知すると共に、前記学校側読取ゲートにより読み取られた前記情報発信装置の情報を受信したときに前記宛先情報に基づいて前記利用者端末に前記児童が学校に到着した旨を通知する児童登校通知手段と、
前記児童の下校時に、前記学校側読取ゲートにより読み取られた前記情報発信装置の情報を受信したときに前記宛先情報に基づいて前記利用者端末に前記児童が学校を出た旨を通知すると共に、前記自宅側読取ゲートにより読み取られた前記情報発信装置の情報を受信したときに前記児童識別情報に関連付けた前記宛先情報に基づいて前記利用者端末に前記児童が自宅に到着した旨を通知する児童下校通知手段とを有することを特徴とする請求
項８記載の情報処理装置。
【請求項１０】
児童が履く靴の所定部分に装着され、前記児童を特定する児童識別情報をタグ情報として出力可能に保持するＩＣタグと、前記児童の状態に応じて前記靴に生じる圧力を感知しその靴圧力をセンサ情報として出力する靴圧力センサとを有する情報発信装置と、
前記児童の自宅側の所定位置に設置され、所定の範囲内にある前記情報発信装置から情報を読み取る自宅側読取ゲートと、
前記児童が通う学校側の所定位置に設置され、所定の範囲内にある前記情報発信装置から情報を読み取る学校側読取ゲートと、
前記自宅側読取ゲート及び前記学校側読取ゲート間の通学路に設置され、所定の範囲内にある前記情報発信装置から情報を読み取る複数の読取装置と、
前記自宅側読取ゲート、前記学校側読取ゲート、及び前記複数の読取装置をネットワークの無線ノードとして形成される無線アドホックネットワークとを有する児童通学監視システムで用いられ、
前記無線アドホックネットワークを介して前記自宅側読取ゲート、前記学校側読取ゲート、及び前記複数の読取装置に通信可能に接続される情報処理装置の処理方法であって、
前記自宅側読取ゲート及び前記学校側読取ゲートの一方により読み取られた前記情報発信装置の情報を前記無線アドホックネットワーク経由で受信してから、前記自宅側読取ゲート及び前記学校側読取ゲートの他方により読み取られた前記情報発信装置の情報を前記ネットワーク経由で受信するまでの期間を監視するステップと、
監視される前記期間内に、前記複数の読取装置により読み取られる前記情報発信装置の情報及びその情報を読み取った読取装置の設置場所の情報から、前記情報発信装置の情報を読み取った読取装置の設置場所に基づく前記児童の位置情報と、前記センサ情報の靴圧力に基づく前記児童の状態情報と、前記読取装置により同時に読み取られた他の情報発信装置の情報に含まれるタグ情報に基づく前記児童の友達情報とを解析するステップと、
その解析結果を利用者端末に通信回線経由で情報提供するステップと、
前記解析結果に応じて前記利用者端末に警告信号を送信するステップとを有することを特徴とする情報処理装置の処理方法。
【請求項１１】
児童が履く靴の所定部分に装着され、前記児童を特定する児童識別情報をタグ情報として出力可能に保持するＩＣタグと、前記児童の状態に応じて前記靴に生じる圧力を感知しその靴圧力をセンサ情報として出力する靴圧力センサとを有する情報発信装置と、
前記児童の自宅側の所定位置に設置され、所定の範囲内にある前記情報発信装置から情報を読み取る自宅側読取ゲートと、
前記児童が通う学校側の所定位置に設置され、所定の範囲内にある前記情報発信装置から情報を読み取る学校側読取ゲートと、
前記自宅側読取ゲート及び前記学校側読取ゲート間の通学路に設置され、所定の範囲内にある前記情報発信装置から情報を読み取る複数の読取装置と、
前記自宅側読取ゲート、前記学校側読取ゲート、及び前記複数の読取装置をネットワークの無線ノードとして形成される無線アドホックネットワークとを有する児童通学監視システムで用いられ、
前記無線アドホックネットワークを介して前記自宅側読取ゲート、前記学校側読取ゲート、及び前記複数の読取装置に通信可能に接続される情報処理装置の処理プログラムであって、
コンピュータに、
前記自宅側読取ゲート及び前記学校側読取ゲートの一方により読み取られた前記情報発信装置の情報を前記無線アドホックネットワーク経由で受信してから、前記自宅側読取ゲート及び前記学校側読取ゲートの他方により読み取られた前記情報発信装置の情報を前記無線アドホックネットワーク経由で受信するまでの期間を監視するステップと、
監視される前記期間内に、前記複数の読取装置により読み取られる前記情報発信装置の情報及びその情報を読み取った読取装置の設置場所の情報から、前記情報発信装置の情報を読み取った読取装置の設置場所に基づく前記児童の位置情報と、前記センサ情報の靴圧力に基づく前記児童の状態情報と、前記読取装置により同時に読み取られた他の情報発信装置の情報に含まれるタグ情報に基づく前記児童の友達情報とを解析するステップと、
その解析結果を利用者端末に通信回線経由で情報提供するステップと、
前記解析結果に応じて前記利用者端末に警告信号を送信するステップとを実行させることを特徴とする情報処理装置の処理プログラム。
【請求項１２】
児童の自宅側の所定位置に設置される自宅側読取ゲートと、前記児童が通う学校側の所定位置に設置される学校側読取ゲートと、前記自宅側読取ゲート及び前記学校側読取ゲート間の通学路に設置される複数の読取装置とをネットワークの無線ノードとして形成される無線アドホックネットワークであって、
前記自宅側読取ゲート、前記学校側読取ゲート、及び前記複数の読取装置は、前記児童が履く靴の所定部分に装着され、前記児童を特定する児童識別情報をタグ情報として出力可能に保持するＩＣタグと、前記児童の状態に応じて前記靴に生じる圧力を感知しその靴圧力をセンサ情報として出力する靴圧力センサとを有する情報発信装置から、前記タグ情報及び前記センサ情報を読み取り、情報処理装置に送信することを特徴とする無線アドホックネットワーク。
【発明の詳細な説明】
【技術分野】
【０００１】
本発明は、靴圧力センサ及びＩＣタグを利用した児童通学監視システム、情報処理装置、及びその処理プログラムに関し、特に児童の位置情報と児童の状態を自動的に取得し、児童が通学路のどこに位置するのかを特定し、検索することを可能とすると共に、通学路を外れた場合や児童の状態に異常が検知される場合に警告を発信する児童通学監視システム、情報処理装置、及びその処理プログラムに関する。
【背景技術】
【０００２】
従来、通学児童の安全確保については、地区委員による重点箇所の立ち番等、人手による方法以外に有効な手段がなかった。近年になり、ＩＣタグを用いて、特定の対象物の位置情報を監視・管理する仕組みや、センサの情報をリアルタイムに読み取って状態を監視する技術が実用化されつつある。また、設置されたセンサ同士を自動的に接続し、柔軟なネットワークを構築できる技術が出現しつつある。
【０００３】
上記に関連した先行技術として、特許文献１では、特定のエリア内となる学童の登下校時の移動ルートを監視するための移動体監視システムが提案されている。この移動体監視システムでは、学童により保持される無線発信装置は、無線発信装置を識別する識別情報を無線にて発信する。受信装置は、無線発信装置が発する識別情報を受信し、受信した識別情報と、受信装置を識別する識別情報とを移動体監視装置に送信する。移動体監視装置は、受信装置識別情報を基に、移動体監視装置の具備する格納部に格納されている受信装置の位置情報を取得し、取得した受信装置の位置情報を無線発信装置識別情報毎に格納部にて管理し、受信装置の位置情報を基に、無線発信装置が移動する移動ルートを監視する。
【特許文献１】特開２００５−３２８３９２号公報
【発明の開示】
【発明が解決しようとする課題】
【０００４】
従来、位置情報確認に使用されてきたＧＰＳを利用する装置（ＧＰＳ携帯電話やＧＰＳ端末）、またはＰＨＳによる位置情報確認では、断続的な通信接続処理が必要であり、装置側の電源が切れてしまえば使用することができず、また通信費用が高額となる。更に、ＧＰＳを利用して把握・監視できるのは位置情報のみであり、事故、誘拐などの緊急事態を推測することができていない。特許文献１は、このような事情を必ずしも意図したものではない。
【０００５】
本発明は、このような従来の事情を考慮してなされたもので、位置情報の監視に加え、緊急事態を推測可能な状態監視を可能とし、児童の安全・安心に貢献しうる児童通学監視システムを提供することを目的とする。
【課題を解決するための手段】
【０００６】
上記目的を達成するため、本発明に係る児童通学監視システムは、児童が履く靴の所定部分に装着され、前記児童を特定する児童識別情報をタグ情報として出力可能に保持するＩＣタグと、前記児童の状態に応じて前記靴に生じる圧力を感知しその靴圧力をセンサ情報として出力する靴圧力センサとを有する情報発信装置と、前記児童の自宅側の所定位置に設置され、所定の範囲内にある前記情報発信装置から情報を読み取る自宅側読取ゲートと、前記児童が通う学校側の所定位置に設置され、所定の範囲内にある前記情報発信装置から情報を読み取る学校側読取ゲートと、前記自宅側読取ゲート及び前記学校側読取ゲート間の通学路に設置され、所定の範囲内にある前記情報発信装置から情報を読み取る複数の読取装置と、前記自宅側読取ゲート、前記学校側読取ゲート、及び前記複数の読取装置をネットワークの無線ノードとして形成される無線アドホックネットワークと、前記無線アドホックネットワークを介して前記自宅側読取ゲート、前記学校側読取ゲート、及び前記複数の読取装置に通信可能に接続される情報処理装置とを有し、前記情報処理装置は、前記自宅側読取ゲート及び前記学校側読取ゲートの一方により読み取られた前記情報発信装置の情報を前記無線アドホックネットワーク経由で受信してから、前記自宅側読取ゲート及び前記学校側読取ゲートの他方により読み取られた前記情報発信装置の情報を前記無線アドホックネットワーク経由で受信するまでの期間を監視する監視手段と、前記監視手段により監視される期間内に、前記複数の読取装置により読み取られる前記情報発信装置の情報及びその情報を読み取った読取装置の設置場所の情報から、前記情報発信装置の情報を読み取った読取装置の設置場所に基づく前記児童の位置情報と、前記センサ情報の靴圧力に基づく前記児童の状態情報と、前記読取装置により同時に読み取られた他の情報発信装置の情報に含まれるタグ情報に基づく前記児童の友達情報とを解析する情報解析手段と、前記情報解析手段による解析結果を利用者端末に通信回線経由で情報提供する情報提供手段と、前記解析結果に応じて前記利用者端末に警告信号を送信する警告送信手段とを有することを特徴とする。
【０００７】
本発明において、前記警告送信手段は、前記複数の読取装置により前記情報発信装置の情報が所定時間読み取られない場合に前記利用者端末に警告信号を送信する第１の警告送信手段と、前記複数の読取装置により読み取られた前記情報発信装置の情報に含まれるセンサ情報から、所定時間靴圧力が検知されない場合に前記利用者端末に警告信号を送信する第２の警告送信手段とを有してもよい。
【０００８】
前記情報解析手段は、前記児童識別情報と前記利用者端末の宛先情報を含む児童情報とを関連付けて予め登録する児童情報登録手段と、前記複数の読取装置の設置場所の情報を予め登録する設置場所登録手段とを有し、前記情報提供手段は、前記宛先情報に基づいて前記情報解析手段による解析結果を通信回線経由で情報提供し、前記警告送信手段は、前記宛先情報に基づいて前記利用者端末に前記警告信号を送信してもよい。
【０００９】
前記情報提供手段は、前記児童の登校時に、前記自宅側読取ゲートにより読み取られた前記情報発信装置の情報を受信したときに前記宛先情報に基づいて前記利用者端末に前記児童が自宅を出た旨を通知すると共に、前記学校側読取ゲートにより読み取られた前記情報発信装置の情報を受信したときに前記宛先情報に基づいて前記利用者端末に前記児童が学校に到着した旨を通知する児童登校通知手段と、前記児童の下校時に、前記学校側読取ゲートにより読み取られた前記情報発信装置の情報を受信したときに前記宛先情報に基づいて前記利用者端末に前記児童が学校を出た旨を通知すると共に、前記自宅側読取ゲートにより読み取られた前記情報発信装置の情報を受信したときに前記宛先情報に基づいて前記利用者端末に前記児童が自宅に到着した旨を通知する児童下校通知手段とを有してもよい。
【００１０】
前記情報発信装置は、前記自宅側読取ゲート、前記学校側読取ゲート、及び前記複数の読取装置からの磁界又は電波を受けたときに電力を発生して起動してもよい。
【００１１】
本発明に係る情報処理装置は、児童が履く靴の所定部分に装着され、前記児童を特定する児童識別情報をタグ情報として出力可能に保持するＩＣタグと、前記児童の状態に応じて前記靴に生じる圧力を感知しその靴圧力をセンサ情報として出力する靴圧力センサとを有する情報発信装置と、前記児童の自宅側の所定位置に設置され、所定の範囲内にある前記情報発信装置から情報を読み取る自宅側読取ゲートと、前記児童が通う学校側の所定位置に設置され、所定の範囲内にある前記情報発信装置から情報を読み取る学校側読取ゲートと、前記自宅側読取ゲート及び前記学校側読取ゲート間の通学路に設置され、所定の範囲内にある前記情報発信装置から情報を読み取る複数の読取装置と、前記自宅側読取ゲート、前記学校側読取ゲート、及び前記複数の読取装置を無線ネットワークの無線ノードとして形成される無線アドホックネットワークとを有する児童通学監視システムで用いられ、前記無線アドホックネットワークを介して前記自宅側読取ゲート、前記学校側読取ゲート、及び前記複数の読取装置に通信可能に接続される情報処理装置であって、前記自宅側読取ゲート及び前記学校側読取ゲートの一方により読み取られた前記情報発信装置の情報を前記無線アドホックネットワーク経由で受信してから、前記自宅側読取ゲート及び前記学校側読取ゲートの他方により読み取られた前記情報発信装置の情報を前記無線アドホックネットワーク経由で受信するまでの期間を監視する監視手段と、前記監視手段により監視される期間内に、前記複数の読取装置により読み取られる前記情報発信装置の情報及びその情報を読み取った読取装置の設置場所の情報から、前記情報発信装置の情報を読み取った読取装置の設置場所に基づく前記児童の位置情報と、前記センサ情報の靴圧力に基づく前記児童の状態情報と、前記読取装置により同時に読み取られた他の情報発信装置の情報に含まれるタグ情報に基づく前記児童の友達情報とを解析する情報解析手段と、前記情報解析手段による解析結果を利用者端末に通信回線経由で情報提供する情報提供手段と、前記情報解析手段による解析結果に応じて前記利用者端末に警告信号を送信する警告送信手段とを有することを特徴とする。
【００１２】
本発明に係る情報処理装置の処理方法は、児童が履く靴の所定部分に装着され、前記児童を特定する児童識別情報をタグ情報として出力可能に保持するＩＣタグと、前記児童の状態に応じて前記靴に生じる圧力を感知しその靴圧力をセンサ情報として出力する靴圧力センサとを有する情報発信装置と、前記児童の自宅側の所定位置に設置され、所定の範囲内にある前記情報発信装置から情報を読み取る自宅側読取ゲートと、前記児童が通う学校側の所定位置に設置され、所定の範囲内にある前記情報発信装置から情報を読み取る学校側読取ゲートと、前記自宅側読取ゲート及び前記学校側読取ゲート間の通学路に設置され、所定の範囲内にある前記情報発信装置から情報を読み取る複数の読取装置と、前記自宅側読取ゲート、前記学校側読取ゲート、及び前記複数の読取装置をネットワークの無線ノードとして形成される無線アドホックネットワークとを有する児童通学監視システムで用いられ、前記無線アドホックネットワークを介して前記自宅側読取ゲート、前記学校側読取ゲート、及び前記複数の読取装置に通信可能に接続される情報処理装置の処理方法であって、前記自宅側読取ゲート及び前記学校側読取ゲートの一方により読み取られた前記情報発信装置の情報を前記無線アドホックネットワーク経由で受信してから、前記自宅側読取ゲート及び前記学校側読取ゲートの他方により読み取られた前記情報発信装置の情報を前記無線アドホックネットワーク経由で受信するまでの期間を監視するステップと、監視される前記期間内に、前記複数の読取装置により読み取られる前記情報発信装置の情報及びその情報を読み取った読取装置の設置場所の情報から、前記情報発信装置の情報を読み取った読取装置の設置場所に基づく前記児童の位置情報と、前記センサ情報の靴圧力に基づく前記児童の状態情報と、前記読取装置により同時に読み取られた他の情報発信装置の情報に含まれるタグ情報に基づく前記児童の友達情報とを解析するステップと、その解析結果を利用者端末に通信回線経由で情報提供するステップと、前記解析結果に応じて前記利用者端末に警告信号を送信するステップとを有することを特徴とする。
【００１３】
本発明に係る情報処理装置の処理プログラムは、児童が履く靴の所定部分に装着され、前記児童を特定する児童識別情報をタグ情報として出力可能に保持するＩＣタグと、前記児童の状態に応じて前記靴に生じる圧力を感知しその靴圧力をセンサ情報として出力する靴圧力センサとを有する情報発信装置と、前記児童の自宅側の所定位置に設置され、所定の範囲内にある前記情報発信装置から情報を読み取る自宅側読取ゲートと、前記児童が通う学校側の所定位置に設置され、所定の範囲内にある前記情報発信装置から情報を読み取る学校側読取ゲートと、前記自宅側読取ゲート及び前記学校側読取ゲート間の通学路に設置され、所定の範囲内にある前記情報発信装置から情報を読み取る複数の読取装置と、前記自宅側読取ゲート、前記学校側読取ゲート、及び前記複数の読取装置をネットワークの無線ノードとして形成される無線アドホックネットワークとを有する児童通学監視システムで用いられ、前記無線アドホックネットワークを介して前記自宅側読取ゲート、前記学校側読取ゲート、及び前記複数の読取装置に通信可能に接続される情報処理装置の処理プログラムであって、コンピュータに、前記自宅側読取ゲート及び前記学校側読取ゲートの一方により読み取られた前記情報発信装置の情報を前記無線アドホックネットワーク経由で受信してから、前記自宅側読取ゲート及び前記学校側読取ゲートの他方により読み取られた前記情報発信装置の情報を前記無線アドホックネットワーク経由で受信するまでの期間を監視するステップと、監視される前記期間内に、前記複数の読取装置により読み取られる前記情報発信装置の情報及びその情報を読み取った読取装置の設置場所の情報から、前記情報発信装置の情報を読み取った読取装置の設置場所に基づく前記児童の位置情報と、前記センサ情報の靴圧力に基づく前記児童の状態情報と、前記読取装置により同時に読み取られた他の情報発信装置の情報に含まれるタグ情報に基づく前記児童の友達情報とを解析するステップと、その解析結果を利用者端末に通信回線経由で情報提供するステップと、前記解析結果に応じて前記利用者端末に警告信号を送信するステップとを実行させることを特徴とする。
【００１４】
本発明に係る無線アドホックネットワークは、児童の自宅側の所定位置に設置される自宅側読取ゲートと、前記児童が通う学校側の所定位置に設置される学校側読取ゲートと、前記自宅側読取ゲート及び前記学校側読取ゲート間の通学路に設置される複数の読取装置とをネットワークの無線ノードとして形成される無線アドホックネットワークであって、前記自宅側読取ゲート、前記学校側読取ゲート、及び前記複数の読取装置は、前記児童が履く靴の所定部分に装着され、前記児童を特定する児童識別情報をタグ情報として出力可能に保持するＩＣタグと、前記児童の状態に応じて前記靴に生じる圧力を感知しその靴圧力をセンサ情報として出力する靴圧力センサとを有する情報発信装置から、前記タグ情報及び前記センサ情報を読み取り、情報処理装置に送信することを特徴とする。
【発明の効果】
【００１５】
本発明によれば、位置情報の監視に加え、緊急事態を推測可能な状態監視を可能とし、児童の安全・安心に貢献しうる児童通学監視システムを提供することができる。
【発明を実施するための最良の形態】
【００１６】
以下、本発明に係る児童通学監視システムの実施の形態について、図面を参照して詳細に説明する。
【００１７】
図１は、本実施の形態に係る児童通学監視システム（位置情報監視・安全通報システム）の全体構成を示す。
【００１８】
図１に示す児童通学監視システムは、児童に装着される情報発信装置１０のほか、無線アドホックネットワーク２０、管理サーバ３０、センターサーバ４０、インターネット／電話網（通信回線）５０、及び利用者端末６０を備えている。
【００１９】
無線アドホックネットワーク２０は、小学校に通う児童の自宅玄関（通学路の出入り箇所）に配置される自宅側読取ゲート２１と、小学校の通用門（通学路の出入り箇所）に配置される学校側読取ゲート２２と、児童の自宅と小学校間の通学路（スクールゾーン）に配置される複数の読取装置２３…２３とを備える。
【００２０】
各読取ゲート２１、２２及び各読取装置２３は、所定の無線通信範囲（読み取り範囲）内にある情報発信装置１０に所定周波数の無線信号を送り、その応答として情報発信装置１０から発信されてくる情報を非接触で読み取る機能を有する。この機能として、例えばＩＣタグ（ＲＦタグ、無線タグ、ＲＦＩＤタグ等とも呼ぶ）上の情報を読み取る既知のリーダ・ライタの機能を用いて構成される。リーダ・ライタは、制御部及びアンテナ部を内蔵し、ＩＣタグに対して電力供給と情報の送受信を行う。
【００２１】
さらに、各読取ゲート２１、２２及び各読取装置２３は、それぞれがネットワークの無線ノードを形成し、隣接する無線ノードとの間でピアツーピアで通信し、既知のフラッディング技術によりその情報を他の無線ノードに伝播し、自由に情報交換する通信機能を持っている。この無線アドホックネットワーク２０の無線ノードが有している通信機能それ自体については、従来公知であり、本発明とは直接関係しないため、その詳細については省略する。
【００２２】
図２は、自宅側読取ゲート２１、学校側読取ゲート２２、及び複数の読取装置２３…２３の設置例を示す。このうち、複数の読取装置２３…２３は、本実施の形態では、障害時を想定して冗長的に配置している。これにより、通信経路上のある読取装置２３が故障しても、他の読取装置２３を経由する通信経路を自動的に構築して通信を確保可能となっている。
【００２３】
自宅側読取ゲート２１、学校側読取ゲート２２、及び複数の読取装置２３…２３は、所定の無線通信範囲内に居る児童に装着された情報発信装置１０に対し無線信号を発信し、これに応答して情報発信装置１から発信されてくる情報（後述のＩＣタグ情報及び圧力センサ情報）を受信し、受信された情報を隣接する無線ノード間で中継しながらセンターサーバ４０に届ける。
【００２４】
情報発信装置１０は、児童の靴の中敷部分に装着され、本実施の形態では自宅側読取ゲート２１、学校側読取ゲート２２、及び複数の読取装置２３…２３から送られてくる無線信号（磁界又は電波）により電力を発生させ、その電力により起動して情報を発信するパッシブ型の装置が用いられる。その内部構成を図３に示す。同図に示すように、情報発信装置１０は、児童を特定可能なＩＤを予め半導体メモリに記録しそれをＩＣタグ情報Ｓ１として読み出し可能なＩＣタグ部１１と、児童の靴圧力を感知しそれを圧力センサ情報Ｓ２として出力可能な圧力センサ部１２と、その両部１１、１２と接続される情報発信部１３とを有する。
【００２５】
圧力センサ部１１及びＩＣタグ部１２は、外付け又は後付けを可能とし、一般に使用されている児童用の運動靴に装着でき、靴を履いたときの違和感が少ないように構成されることが望ましい。圧力センサ部１１を構成するセンサは、靴圧力を電気信号に変換して出力可能なものであれば、いずれのタイプでも適用可能である。
【００２６】
情報発信部１３は、無線アドホックネットワーク２０を構成する自宅側読取ゲート２１、学校側読取ゲート２２、及び複数の読取装置２３からの磁界又は電波により電磁誘導方式に基づく共振又は電波方式に基づく整流作用により電力を発生させるアンテナを有し、その電力供給により起動することで、ＩＣタグ部１１から児童ＩＤに対応するＩＣタグ情報Ｓ１を読み出すと共に、圧力センサ部１２から感知された靴圧力に対応する圧力センサ情報Ｓ２を読み出し、これらの情報Ｓ１、Ｓ２を送信元情報（自装置の識別情報）及び宛先情報（センターサーバの識別情報）と共にアンテナを介して発信する。
【００２７】
管理サーバ３０は、無線アドホックネットワーク２０を管理する機能を有する情報処理装置で構成され、ハードウェア構成として、ＣＰＵ、メモリ（ＲＯＭ／ＲＡＭ）、各種入出力装置等のコンピュータを構成する既知要素を備える。入出力装置には、無線アドホックネットワーク２０に接続される無線通信インタフェース（Ｉ／Ｆ）と、インターネット／電話網５０に接続される通信Ｉ／Ｆとが含まれる。また、この管理サーバ３０は、ソフトウェア構成として、オペレーティングシステム（ＯＳ）及びそのＯＳ上で動作するアプリケーションソフトウェア等のプログラムコードを備え、ＣＰＵがそのプログラムコードの命令を実行することにより、管理サーバ３０の上記機能を実現している。この管理サーバ３０は、メモリやハードディスク等の記録装置に、対象となる児童の情報や読取装置２３の場所等の情報を予め保持している。その情報の一例を図４及び図５に示す。
【００２８】
図４は、児童情報Ｄ１の構成例である。同図に示すように、児童情報Ｄ１には、児童のＩＤと、児童氏名、小学校名、学年・組、自宅の住所、利用者端末のｅ−Ｍａｉｌアドレス、通学路情報などの情報とを関連付けて登録しておく。
【００２９】
図５は、読取装置情報Ｄ２の構成例である。同図に示すように、読取装置情報Ｄ２には、読取装置の識別情報（図中のＲ１〜Ｒ３等）と、その場所を示す位置情報（図中のＰ１〜Ｐ３）などの情報と関連付けて登録しておく。
【００３０】
センターサーバ４０は、無線アドホックネットワーク２０を通じて読み取った児童の情報発信装置１０からのＩＣタグ情報Ｓ１及び圧力センサ情報Ｓ２を管理すると共に、管理サーバ３０から対象となる児童情報Ｄ１及び読取装置情報Ｄ２を受信し、それらを組み合わせて、インターネット／電話回線５０を通じて特定の利用者に情報として提供する機能を有する。その内部構成を図６に示す。
【００３１】
図６に示すように、センターサーバ４０は、ＣＰＵ及びそのＣＰＵにより実行されるプログラムコードが格納されるメモリ等を有する主処理部４１と、無線アドホックネットワークに接続される無線通信Ｉ／Ｆ４２と、インターネット／電話網５０に接続される通信Ｉ／Ｆ４３と、その他の入出力部４４と、データベース（ＤＢ）４５とを備える。このセンターサーバ４０は、ソフトウェア構成として、オペレーティングシステム（ＯＳ）及びそのＯＳ上で動作するアプリケーションソフトウェア等のプログラムコードを備え、ＣＰＵがそのプログラムコードを実行することにより、センターサーバ４０の上記機能を実現している。ＤＢ４５には、ＩＣタグ情報Ｓ１及び圧力センサ情報Ｓ２と、対象となる児童情報Ｄ１及び読取装置情報Ｄ２とを用いた解析結果（後述参照）が児童ＩＤ毎に格納される。
【００３２】
なお、管理サーバ３０とセンターサーバ４０は、本発明の情報処理装置に対応するものであり、一台のサーバ機に一体に構成することも可能である。
【００３３】
利用者端末６０は、児童の保護者及び学校側の担当者が用いるＰＣ（パーソナルコンピュータ）や携帯電話等の端末装置である。ＰＣを用いる場合には、例えば児童の自宅や学校に設置されたＰＣが対象となる。携帯電話を用いる場合には、例えば保護者の携帯電話が対象となる。
【００３４】
この利用者端末６０は、センターサーバ４０によりインターネット／電話網５０経由で提供される情報（後述の位置情報、状態情報、友達情報）又はこれに関連して送信されてくる警告信号を受信し、その情報を画面上に表示したり、警告信号の場合にはその旨を児童の保護者や学校の担当者が認知できるように警告音やそれに相当する音声メッセージ等の音声を出力したりする機能を有する。
【００３５】
次に、図７〜図１３を参照して、本実施の形態の全体動作について、説明する。
【００３６】
まず、準備段階として、予めＩＣタグ部１１に児童を特定するＩＤを書き込み、児童の靴に装着し、情報発信部１３に接続すると共に、児童の通学靴の中敷部分の上側に圧力センサ部１２を取り付け、情報発信部１３に接続し、これにより情報発信装置１０を起動可能な状態とする。
【００３７】
また、管理サーバ３０には、前述した図４の児童情報Ｄ１に示すように、児童のＩＤと児童氏名、小学校名、学年・組、自宅の住所、利用者端末のｅ−Ｍａｉｌアドレス、通学路情報などの情報を関連付けて登録しておく。さらに、児童の自宅の玄関に自宅側読取ゲート２１を設置し、常に監視状態とする。児童の通学先である小学校の通用門にも同様に学校側読取ゲート２２を設置し、常に監視状態としておく。また、通学路（スクールゾーン）に読取装置２３を設置し、それらによる無線アドホックネットワーク２０を構築しておく。読取装置２３の場所を示す位置情報は、その識別情報に関連付けて管理サーバ３０に登録しておく。
【００３８】
この状態で、児童が靴を履き、自宅の玄関を出ると、自宅側読取ゲート２１からの磁界又は電波によりその靴に装着された情報発信装置１０が起動し、ＩＣタグ部１１に記憶された児童のＩＤに対応するＩＣタグ情報Ｓ１と圧力センサ部１２により感知された靴圧力に対応する圧力センサ情報Ｓ２を読み取り、これらの情報Ｓ１、Ｓ２を情報発信部１３から自宅側読取ゲート２１に送信する。自宅側読取ゲート２１は、これらの情報Ｓ１、Ｓ２をセンターサーバ４０に送信する。
【００３９】
図７〜図１１は、センターサーバ４０による処理を示すフローチャートである。このフローチャートに対応するプログラムコードは、センターサーバ４０の主処理部４１のＣＰＵにより実行される。
【００４０】
図７に示すように、センターサーバ４０は、自宅側読取ゲート２１からの情報Ｓ１、Ｓ２を受信すると（ステップＳｔ１：ＹＥＳ）、そのうちのＩＣタグ情報Ｓ１と管理サーバ３０に登録されている児童情報Ｄ１とに基づいて、対象となる児童及びそれに関連付けて登録された利用者端末６０のｅ−Ｍａｉｌアドレスを特定し、その児童が外出した旨、利用者端末６０にｅ−Ｍａｉｌなどで情報を発信し（ステップＳｔ２）、児童の追跡（監視）モードを開始する（ステップＳｔ３）。
【００４１】
ここで、通学路に設置した読取装置２３の読み取り可能範囲内に児童が侵入すると、その読取装置２３により児童の靴に装着された情報発信装置１０が起動し、ＩＣタグ部１１に記憶された児童のＩＤに対応するＩＣタグ情報Ｓ１と圧力センサ部１２により感知される靴圧力に対応する圧力センサ情報Ｓ２を読み取り、情報発信部１３から読取装置２３に送信する。読取装置２３は、これらの情報Ｓ１、Ｓ２をセンターサーバ４０に送信する。
【００４２】
センターサーバ４０は、その情報Ｓ１、Ｓ２を受信すると（ステップＳｔ４：ＹＥＳ）、その情報が追跡対象である場合（ステップＳｔ５：ＹＥＳ）、その情報Ｓ１、Ｓ２を記録する（ステップＳｔ６）。これにより、利用者が利用者端末６０より情報を検索可能なサービス提供モードを実行する。このサービス提供モードの処理を図８に示す。
【００４３】
図８において、センターサーバ４０は、サービス提供モードの開始に際し、受信した内容を予め登録してあるＩＤ毎に分別・解析し、位置情報提供・警告送信モード（ステップＳｔ１１）、状態情報提供・警告送信モード（ステップＳｔ１２）、友達情報提供モード（ステップＳｔ１３）を実行する。以下、その処理内容を順次説明する。
１）位置情報提供・警告送信モード
図９は、位置情報提供・警告送信モードの処理例を示す。
【００４４】
図９において、センターサーバ４０は、位置情報提供・警告送信モードの実行に際し、児童が自宅を出て小学校の通用門に達するまでの監視対象期間において、一定時間内に読取装置２３により児童の靴に装着された情報発信装置１０から発信される情報Ｓ１、Ｓ２が読み取られると（ステップＳｔ２１：ＮＯ）、ＩＣタグ情報Ｓ１と、管理サーバ３０に登録された読取装置情報Ｄ２とに基づいて、その情報Ｓ１、Ｓ２を読み取った読取装置２３の識別情報に関連付けられた設置場所から、対象となる児童の所在地を特定し、その位置情報を記録する（ステップＳｔ２２）。これにより、センターサーバ４０は、利用者が利用者端末６０により児童の位置情報を検索できるように情報提供を行う（ステップＳｔ２３）。
【００４５】
一方、センターサーバ４０は、児童が自宅を出て小学校の通用門に達するまでの監視対象期間において、一定時間、何れの読取装置２３も児童の靴に装着された情報発信装置１０から発信される情報Ｓ１、Ｓ２を読み取ることができない場合（ステップＳｔ２１：ＹＥＳ）、通学路を外れたものと解釈し、利用者端末６０に警告を送信する（ステップＳｔ２４）。
２）状態情報提供・警告送信モード
図１０は、状態情報提供・警告送信モードの処理例を示す。
【００４６】
図１０において、センターサーバ４０は、状態情報提供・警告送信モードの実行に際し、圧力センサ情報Ｓ２を読み取って解析し（ステップＳｔ３１）、以下の基準（ａ）〜（ｃ）に基づいて、児童の状態を検知する（ステップＳ３２、Ｓｔ３３）。
（ａ）一定時間圧力が検知されない場合（ステップＳｔ３２：ＹＥＳ）、児童の靴が脱げている、或いは児童が横になっていると考えられ、児童が事故に遭い倒れている（歩けなくなった）、児童が車に連れ込まれた等の事件の可能性が有ると判断し、何らかの理由で歩行できなくなったものと解釈し、事件・事故の恐れがあるとして利用者端末に警告を送信する（ステップＳｔ３５）。
（ｂ）圧力感知の間隔がほぼ一定で、安定している場合は、児童が歩いている状態と判断する（ステップＳ３２：ＮＯ、ステップＳｔ３３）。
（ｃ）圧力感知の間隔が短く、安定していない場合は、児童が走っている状態と判断する（ステップＳ３２：ＮＯ、ステップＳｔ３３）。
【００４７】
上記（ｂ）又は（ｃ）で検知された状態を児童の状態情報として提供可能とする（ステップＳｔ３４）。
３）友達情報提供モード
図１１は、友達情報提供モードの処理例を示す。
【００４８】
図１１において、センターサーバ４０は、友達情報提供モードの実行に際し、読取装置２３が同時に受信したＩＤ情報により、その時間に一緒にいる友達を推測してその推測結果を友達情報として記録し（ステップＳｔ４１）、その友達情報を利用者端末６０に情報提供可能とする（ステップＳｔ４２）。
【００４９】
図１２は、上記３つのモードにより、センターサーバ４０のＤＢ４５に情報提供可能に登録される解析情報の一例を示す。同図に示すように、ＤＢ４５には、児童ＩＤ毎に、時刻、位置情報、状態状態、友達情報が関連付けて記録され、利用者端末６０に情報提供可能となっている。
【００５０】
次いで、児童が小学校の通用門に到着すると、そこに設置された学校側読取ゲート２２からの磁界又は電波によりその靴に装着された情報発信装置１０が起動し、ＩＣタグ部１１に記憶された児童のＩＤに対応するＩＣタグ情報Ｓ１と圧力センサ部１２により感知された靴圧力に対応する圧力センサ情報Ｓ２を読み取り、これらの情報Ｓ１、Ｓ２を情報発信部１３から学校側読取ゲート２２に送信する。学校側読取ゲート２２は、これらの情報Ｓ１、Ｓ２をセンターサーバ４０に送信する。
【００５１】
すると、図７に示すように、センターサーバ４０では、学校側読取ゲート２２からの情報Ｓ１、Ｓ２を受信すると（ステップＳｔ８）、そのうちのＩＣタグ情報Ｓ１と管理サーバ３０に登録されている児童情報Ｄ１とに基づいて、対象となる児童及びそれに関連付けて登録された利用者端末６０のｅ−Ｍａｉｌアドレスを特定し、その児童が登校した旨、利用者端末６０にｅ−Ｍａｉｌなどで情報を発信し（ステップＳｔ９）、児童の追跡（監視）モードを終了する（ステップＳｔ１０）。なお、下校時は、上記とは逆の処理を行う。
【００５２】
図１３は、以上の動作にて、児童の靴に装着された情報発信装置１０が通学路の読取装置２３に読み取られてセンターサーバ４０に送られ、センターサーバ４０にて上記のサービス提供モードの実行により解析された対象となる児童の位置情報、状態情報、友達情報が利用者端末６０に情報提供される様子を模式的に表したものである。
【００５３】
すなわち、児童の靴底にＩＣタグ部１１及び圧力センサ部１２を有する情報発信装置１０を装着して、ＩＣタグ部１１に記録された児童のＩＤに対応するＩＣタグ情報Ｓ１と、その靴圧力に対応する圧力センサ情報Ｓ２とを通学路に設置した読取装置２３により読み取る。読取装置２３は、読み取ったＩＣタグ情報Ｓ１と圧力センサ情報Ｓ２を無線アドホックネットワーク２０を介してセンターサーバ４０に配信する。センターサーバ４０は、配信情報と、管理サーバ３０に登録された児童情報Ｄ１及び読取装置情報Ｄ２とに基づいて、児童のＩＤ毎に、１）児童の位置情報を検知し、通学路から外れていないかを分析し、２）圧力感知の頻度によりその児童の状態、すなわち歩いているか、走っているか、靴が脱げているか等を検知し、３）読取装置２３で同時に検出した他のＩＣタグ情報Ｓ１と統合し、どの友達と一緒かを検出する。これらの分析結果は、センターサーバ４０のＤＢ４５に記録され、インターネット／電話網５０を介して利用者端末６０に情報提供される。
【００５４】
従って、本実施の形態によれば、ＩＣタグと圧力センサを組み合わせることにより、児童の位置情報の監視に加えて、児童が歩いている、走っている、靴が脱げている等の状態監視を可能とし、さらに児童と一緒に居る友達を把握することができ、児童の安全・安心に貢献することができる。
【００５５】
これによれば、児童の保護者は、自宅にいながら児童が自宅を出て登校するまでの状態を監視することができる。また、下校の際には、校門を出た時刻が通報され、帰宅するまでの状態を同様に監視することができる。さらに、登／下校中の児童の位置情報に加えて、近くにいる友達情報を把握できるため、目撃情報をより効率的に収集することができる。また通学路を外れたとみなされる場合や、事件の恐れあるとみなされる場合には、警告を受けることができ、速やかな対処が可能となる。
【００５６】
また、本実施の形態によれば、ネットワークとして、読取装置で構成される無線アドホックネットワークを用いたため、通信経路上のある読取装置が故障した場合でも他の読取装置を経由する通信経路を自動的に構築し通信を確保することができる、また、緊急時に、ネットワークが切断されている領域に読取装置を持ち込むことで、通信経路を確保することも可能である。
【００５７】
また、本実施の形態によれば、情報発信装置は、読取装置からの作用によって起動し、情報を送信する、いわゆるパッシブ型のものを用いているため、省電力化を図ることができる。
【００５８】
また、本実施の形態によれば、監視時間を、登校時は児童が自宅を出てから校門を通過するまでの間、下校時はその逆に児童が学校を出てから自宅玄関を通過するまでの間に限定しているため、それ以外の時間帯における装置の通信負荷を最小限に抑制することができる。
【００５９】
また、本実施の形態によれば、圧力センサが圧力を感知しなくなった場合は、事故等で歩けなくなったと推測する等、緊急事態を予測することができるため、迅速な対処が可能になる。
【００６０】
さらに、本実施の形態によれば、万が一児童が行方不明になった場合には、最後に検出された時点の情報を元に近くにいた児童を特定することができ、これにより目撃情報の収集を効率化することができる。
【００６１】
以上、本発明の実施の形態を詳細に説明したが、本発明は、代表的に例示した上述の実施の形態に限定されるものではなく、当業者であれば、特許請求の範囲の記載内容に基づき、本発明の要旨を逸脱しない範囲内で種々の態様に変形、変更することができる。これらの変形例や変更例も本発明の権利範囲に属するものである。
【産業上の利用可能性】
【００６２】
本発明は、小学校の通学路に適用することにより、児童の安全・安心のための対策として有効であるため、例えば地方自治体での導入が見込まれる。
【図面の簡単な説明】
【００６３】
【図１】本発明の実施の形態に係る児童通学監視システムの全体構成を示す図である。
【図２】本実施の形態において、自宅側読取ゲート、読取装置、学校側読取装置の配置及びこれらにより構成される無線アドホックネットワークの概要を示す図である。
【図３】本実施の形態において、情報発信装置の内部構成を示す概略ブロック図である。
【図４】本実施の形態において、管理サーバにより管理される児童情報の構成を示す図である。
【図５】本実施の形態において、管理サーバにより管理される読取装置情報の構成を示す図である。
【図６】本実施の形態において、センターサーバの内部構成を示す概略ブロック図である。
【図７】本実施の形態において、センターサーバによる全体処理を説明する概略フローチャートである。
【図８】本実施の形態において、センターサーバによるサービス提供モード時の処理を説明する概略フローチャートである。
【図９】本実施の形態において、センターサーバによる位置情報提供・警告送信モード時の処理を説明する概略フローチャートである。
【図１０】本実施の形態において、センターサーバによる状態情報提供・警告送信モード時の処理を説明する概略フローチャートである。
【図１１】本実施の形態において、センターサーバによる友達情報提供モード時の処理を説明する概略フローチャートである。
【図１２】本実施の形態において、センターサーバによる解析結果を示す図である。
【図１３】本実施の形態において、児童通学監視システムの全体動作の概要を示す図である。
【符号の説明】
【００６４】
１０  情報発信装置
１１  ＩＣタグ部
１２  圧力センサ部
１３  情報発信部
２０  無線アドホックネットワーク
２１  自宅側読取ゲート
２２  読取装置
２３  学校側読取ゲート
３０  管理サーバ
４０  センターサーバ
４１  主処理部
４２  無線通信インタフェース（Ｉ／Ｆ）
４３  通信インタフェース（Ｉ／Ｆ）
４４  入出力部
４５  データベース（ＤＢ）
５０  インターネット／電話網
６０  利用者端末
【図１】
2007264723.tif 000003
【図２】
2007264723.tif 000004
【図３】
2007264723.tif 000005
【図４】
2007264723.tif 000006
【図５】
2007264723.tif 000007
【図６】
2007264723.tif 000008
【図７】
2007264723.tif 000009
【図８】
2007264723.tif 000010
【図９】
2007264723.tif 000011
【図１０】
2007264723.tif 000012
【図１１】
2007264723.tif 000013
【図１２】
2007264723.tif 000014
【図１３】
2007264723.tif 000015